(57)【要約】【課題】従来は電動で拭き取り部（清掃体や刷毛）を移動させるため、消費電力の低減及び装置外形の小型化が厳しく要求される携帯型情報機器では適用が困難であり、また、手動のものは拭き取り専用の装置が新たに必要となる。【解決手段】折り畳み型携帯電話の不使用時には、上部筐体部１の内側面と下部筐体部２の内側面とが密接した閉状態とされ、拭き取り部５は表示画面部４上、ヒンジ機構３側に最も近接した位置にある。他方、折り畳み型携帯電話の使用時には、上部筐体部１と下部筐体部２とが所定角度拡開された開状態とされ、下部筐体部２の内側面２ａに形成された図示しない各種キー部を操作できるようにされ、このとき拭き取り部５は表示画面部４上、ヒンジ機構３に最も離れた位置に移動する。よって、開閉動作により、拭き取り部５は表示画面部４上を１往復する。拭き取り部５はヒンジ機構３の回動に伴い移動する機構により移動される。【選択図】            図１
2004198874.tif 000002
【特許請求の範囲】
【請求項１】
内側面又は外側面に表示画面部が少なくとも設けられた上部筐体部と、内側面に各種キーが少なくとも設けられた下部筐体部の、各一側端部同士がヒンジ機構により回動自在に結合され、前記上部筐体部と前記下部筐体部の各内側面同士が密接する閉状態と、前記上部筐体部と前記下部筐体部の各内側面同士が離間する開状態のいずれかで用いられる折り畳み型携帯情報機器の表示画面部拭き取り装置であって、
前記表示画面部上を摺動する拭き取り部と、
前記ヒンジ機構の回動を利用して前記拭き取り部を、前記表示画面部上を摺動させる移動機構と
を有し、前記拭き取り部及び前記移動機構が前記上部筐体部内に設けられたことを特徴とする表示画面部拭き取り装置。
【請求項２】
前記移動機構は、前記ヒンジ機構の固定の支柱部の外周面上を前記上部筐体部の開閉動作に連動して転動する円柱状の動作部と、前記動作部と前記上部筐体部内に形成された溝部との間に張架され、かつ、前記拭き取り部が一部に固定されており、前記動作部の転動に伴い該拭き取り部と共に移動するループ状のワイヤとよりなることを特徴とする請求項１記載の表示画面部拭き取り装置。
【請求項３】
前記ワイヤは、前記表示画面部を正面から見た時に該表示画面部の外側の位置に一対設けられていることを特徴とする請求項１又は２記載の表示画面部拭き取り装置。
【請求項４】
前記拭き取り部は、前記上部筐体部及び下部筐体部の開状態及び閉状態の一方から他方への状態変化により、前記表示画面部の画面上下方向又は画面左右方向に移動することを特徴とする請求項１又は２記載の表示画面部拭き取り装置。
【請求項５】
前記折り畳み型携帯情報機器は、折り畳み型携帯電話であることを特徴とする請求項１乃至４のうちいずれか一項記載の表示画面部拭き取り装置。
【請求項６】
前記折り畳み型携帯情報機器は、ノート型パソコンであることを特徴とする請求項１乃至４のうちいずれか一項記載の表示画面部拭き取り装置。
【発明の詳細な説明】
【０００１】
【発明の属する技術分野】
本発明は表示画面部拭き取り装置に係り、特に折り畳み型携帯電話等の折り畳み型携帯型情報機器の表示画面部拭き取り装置に関する。
【０００２】
【従来の技術】
近年、携帯電話においては、様々な機能をサポートするために、大画面で扱い易い物が要求されており、そのため、折り畳み型が普及している。すなわち、この折り畳み型携帯電話は、上部筐体部と下部筐体部とを互いの一側端部をヒンジ機構で回動自在に結合し、不使用時には上部筐体部の内側面と下部筐体部の内側面とを密接した折り畳み状態とし、使用時には上部筐体部と下部筐体部とを所定角度拡開した開状態とし、下部筐体部の内側面に形成された各種キー部を操作できるようにすることで、上部筐体部の内側面のほぼ全体の大面積を表示部とすることができ、上記の大画面化を実現できる。また、この折り畳み型電話では、折り畳み状態では表示画面が保護され、しかも小型になり収納及び携帯に便利であるため、現在では折り畳み型携帯電話が一般的になってきている。
【０００３】
しかし、この折り畳み型携帯電話では、通話時などの開状態の使用時にはレシーバーに耳を近付けると、表示部表面に顔の一部などが密着するために、どうしても表示部の画面に汚れが付着し、表示画面が見にくいという問題が発生する。そのため、利用者は携帯電話使用後に表示画面を拭き取るという作業を行うことが多くなる。
【０００４】
一方、従来、表示画面部を拭き取る装置が提案されており、これを上記の携帯電話に適用することが考えられる（例えば、特許文献１、２、３参照）。すなわち、特許文献１には、可視情報の入力ないし出力を行う入力ないし出力面を有する電子機器において、入力ないし出力面を隠蔽可能な開閉自在のカバー部材と、このカバー部材の開閉に連動して上記の入力ないし出力面を清掃するクリーナ部材とを設けた構成の拭き取り装置が開示されている。この従来の拭き取り装置によれば、カバー部材に開閉に連動してクリーナ部材により入力ないし出力面がクリーナ部材により清掃される。
【０００５】
また、特許文献２には、多数の表示素子を縦横に配列してなる表示面と、この表示面を覆うようにこの表示面に沿って開閉自在にこの表示面の側方にそれぞれ設けられた一対のシャッタと、これらのシャッタのそれぞれに独立的に連結された一対のシャッタ駆動部と、シャッタのそれぞれの先端縁の近傍の内側に配設されて表示面に接触して清掃する清掃体と、シャッタの開放動作時又は閉鎖動作時に一対のシャッタ駆動部の動作を独立的に制御して一対のシャッタの少なくとも一方を通常の閉鎖位置を所定距離越えて移動させる動作を含めて一対のシャッタの開閉動作を制御する制御手段とを設けた構成の表示装置が開示されており、制御手段でシャッタ駆動部の動作を制御して、通常の閉鎖位置では一対の清掃体の間の部分に対向する表示面の部分にも、シャッタの内面に設けた清掃体を接触させて表示面の汚れを払拭する。
【０００６】
また、特許文献３には、プラズマディスプレイ装置のＰＤＰの表示面の前に、左右から開閉する電動シャッタを取り付けて、ＰＤＰ表示面を保護すると共に、電動シャッタの裏側に刷毛を設け、電動シャッタの開閉により刷毛がＰＤＰの表示面を清掃する構成が開示されている。
【０００７】
【特許文献１】
特開平３−４２９４号公報（第２−３頁、第１図〜第３図）
【特許文献２】
特開平８−１６１１６号公報（第３−４頁、図１〜図４）
【特許文献３】
特開平１０−１７４０２２号公報（第３−４頁、図１）
【０００８】
【発明が解決しようとする課題】
しかるに、上記の従来の表示画面部拭き取り装置のうち、特許文献２及び３に記載の従来装置では、いずれも電動で拭き取り部（清掃体や刷毛）を移動させて表示画面を拭き取る構成であるため電力を消費し、また、表示部の画面前面にシャッタ機構及びその駆動回路を設ける必要があり、特に消費電力の低減及び装置外形の小型化が厳しく要求される、バッテリ駆動の携帯型情報機器では適用が困難である。
【０００９】
また、特許文献１に記載の従来装置では、既存の情報機器の入力ないし出力面を隠蔽可能な開閉自在なカバー部材と、そのカバー部材に連動して入力ないし出力面上を摺動するクリーナ部材とからなる拭き取り専用の装置を新たに必要とし、コスト上昇が問題となる。
【００１０】
本発明は以上の点に鑑みなされたもので、特に消費電力を不要とする表示画面部拭き取り装置を提供することを目的とする。
【００１１】
また、本発明の他の目的は、安価な構成の表示画面部拭き取り装置を提供することにある。
【００１２】
【課題を解決するための手段】
上記の目的を達成するため、本発明は、内側面又は外側面に表示画面部が少なくとも設けられた上部筐体部と、内側面に各種キーが少なくとも設けられた下部筐体部の、各一側端部同士がヒンジ機構により回動自在に結合され、上部筐体部と下部筐体部の各内側面同士が密接する閉状態と、上部筐体部と下部筐体部の各内側面同士が離間する開状態のいずれかで用いられる折り畳み型携帯情報機器の表示画面部拭き取り装置であって、表示画面部上を摺動する拭き取り部と、ヒンジ機構の回動を利用して拭き取り部を、表示画面部上を摺動させる移動機構とを有し、拭き取り部及び移動機構が上部筐体部内に設けられたことを特徴とする。
【００１３】
この発明では、上部筐体部と下部筐体部とが閉状態及び開状態の一方から他方に変化するときに、ヒンジ機構が回動することを利用して、移動機構により拭き取り部が表示画面部上を摺動するようにできる。
【００１４】
ここで、上記の移動機構は、ヒンジ機構の固定の支柱部の外周面上を上部筐体部の開閉動作に連動して転動する円柱状の動作部と、動作部と上部筐体部内に形成された溝部との間に張架され、かつ、拭き取り部が一部に固定されており、動作部の転動に伴い拭き取り部と共に移動するループ状のワイヤとよりなることを特徴とする。
【００１５】
また、上記のワイヤは、表示画面部を正面から見た時に表示画面部の外側の位置に一対設けられていることを特徴とする。更に、上記の拭き取り部は、上部筐体部及び下部筐体部の開状態及び閉状態の一方から他方への状態変化により、表示画面部の画面上下方向又は画面左右方向に移動することを特徴とする。
【００１６】
【発明の実施の形態】
次に、本発明の実施の形態について図面と共に説明する。図１（Ａ）及び（Ｂ）は本発明になる表示画面部拭き取り装置を備えた折り畳み型携帯電話の一実施の形態の閉状態及び開状態の概略縦断側面図を示す。本実施の形態は折り畳み型携帯電話に適用したもので、図１（Ａ）及び（Ｂ）に示すように、上部筐体部１と下部筐体部２の各一側端部同士が、ヒンジ機構３により回動自在に結合されており、上部筐体部１の内側面には表示画面部４が形成されると共に、表示画面部４の上を摺動する拭き取り部５が設けられ、下部筐体部２の内側面２ａには、図示しない各種キーやマイクなどが配設されている。なお、上部筐体部１内には、後述する拭き取り部５の移動機構が設けられている。
【００１７】
折り畳み型携帯電話の不使用時には、図１（Ａ）に示すように、上部筐体部１の内側面と下部筐体部２の内側面とが密接した閉状態（折り畳み状態）とされ、拭き取り部５は表示画面部４上、ヒンジ機構３側に最も近接した位置にある。他方、折り畳み型携帯電話の使用時には、図１（Ｂ）に示すように、上部筐体部１と下部筐体部２とが所定角度拡開された開状態とされ、下部筐体部２の内側面２ａに形成された図示しない各種キー部を操作できるようにされ、このとき拭き取り部５は表示画面部４上、ヒンジ機構３に最も離れた位置にある。よって、開閉動作により、拭き取り部５は図１（Ａ）、（Ｂ）、（Ａ）に示す順に変位するため、表示画面部４上を１往復する。
【００１８】
次に、本実施の形態の要部の構成について更に詳細に図２と共に説明する。図２（Ａ）及び（Ｂ）は、それぞれ折り畳み型携帯電話の開状態時の上部筐体部１の概略縦断側面図及び概略正面図を示す。同図中、図１と同一構成部分には同一符号を付してある。図２（Ａ）、（Ｂ）に示すように、拭き取り部５は開状態時は、図１と共に説明したように、ヒンジ機構３に最も離れた位置、すなわち、上部筐体部１の内側面に形成されたレシーバ６に最も近接した位置にある。
【００１９】
拭き取り部５はその両端部付近の計２個所が一対のワイヤ７の一端に別々に固定されている。これら一対のワイヤ７は円柱状の動作部８と上部筐体部１内の図示しない溝部に沿って引き回されて、他端が拭き取り部５はその両端部付近の計２個所に固定されている。すなわち、一対のワイヤ７はそれぞれ動作部８と上部筐体部内の溝部部分との間に、緩み無く張架されたループ状であり、その一部に拭き取り部５が固定されており、動作部８と共に上部筐体部１内に設けられている。ワイヤ７は表示画面部４にかからないように、図２（Ｂ）に示すように、正面から見た時に表示画面部４の外側に設けられている。
【００２０】
また、円柱状の動作部８はヒンジ機構３の中心部の固定の回転支柱部３ａの外周面に適当な圧力で接触するようにされており、上部筐体部１の回動動作と連動して、つまり折り畳み型携帯電話の開閉動作に連動して回転支柱部３ａの外周面上を転動する。これにより、例えば、閉状態から開状態にするときには、動作部８は図２（Ａ）中、点線の矢印９で示す反時計方向に回転しながら回転支柱部３ａの外周面上を転動する。
【００２１】
また、この動作部８の回転に伴い、ワイヤ７がワイヤ７と動作部８との摩擦力により移動する。例えば、動作部８が点線の矢印９で示す反時計方向に回転するときには、ループ状のワイヤ７も反時計方向に移動し、ワイヤ７の途中に固定されている拭き取り部５は図２（Ｂ）中、上方向に移動する。図２（Ａ）、（Ｂ）は開状態のときの図であるが、この状態から閉状態とするときには、上記とは逆に動作部８が点線の矢印９とは逆方向、すなわち、時計方向に回転し、これに伴いループ状のワイヤ７も時計方向に移動し、ワイヤ７の途中に固定されている拭き取り部５は図２（Ｂ）中、下方向に移動する。
【００２２】
従って、折り畳み型携帯電話を通話などで使用するための開状態から、折り畳み状態にすると、拭き取り部５が表示画面部４上を図２（Ｂ）中、下方向に摺動して表示画面部４の全面を拭き取り、その後、再度通話などで使用する状態になった時に、折り畳み状態から開状態とすることにより、拭き取り部５が表示画面部４上を図２（Ｂ）中、上方向に摺動して表示画面部４の全面を再度拭き取ることとなるため、利用者が通話などで使用するときには、塵埃が拭き取られた綺麗な表示画面部４を提供することができる。
【００２３】
次に、本実施の形態の動作について説明する。図３（Ａ）、（Ｂ）、（Ｃ）は本発明装置の一実施の形態の閉状態時（状態１）、開閉中間状態時（状態２）、開状態時（状態３）の動作説明用側面図を示す。各図中、図１及び図２と同一構成部分には同一符号を付し、その説明を省略する。閉状態から開状態にするときには、図３（Ａ）の状態１→図３（Ｂ）の状態２→図３（Ｃ）の状態３へと推移し、拭き取り部５は表示画面部４上を下から上に摺動する。逆に、開状態から閉状態にするときには、図３（Ｃ）の状態３→図３（Ｂ）の状態２→図３（Ａ）の状態１へと推移し、拭き取り部５は表示画面部４上を上から下に摺動する。
【００２４】
次に、上記の開閉に伴う拭き取り部５の移動時の各部の動作について、更に詳細に図４と共に説明する。図４（Ａ）、（Ｂ）、（Ｃ）は本発明装置の一実施の形態の閉状態時（状態１）、開閉中間状態時（状態２）、開状態時（状態３）の各部動作詳細説明用側面図を示す。各図中、図１乃至図３と同一構成部分には同一符号を付し、その説明を省略する。
【００２５】
閉状態から開状態にするときには、図３と同様に、図４（Ａ）の状態１→図４（Ｂ）の状態２→図４（Ｃ）の状態３へと推移するが、まず、閉状態のときには、図４（Ａ）に示すように、拭き取り部５は、大きさＬの表示画面部４の最下端（図４（Ａ）では一番左）の位置にある。この閉状態（状態１）から開動作完了途中の開閉中間状態（状態２）に推移すると、図４（Ｂ）に示すように、動作部８が図４中、反時計方向に回転しながら固定の半径Ｒの回転支柱部３ａ上を距離Ｄ１転動する。
【００２６】
また、この動作部８の回転に伴い、ワイヤ７がワイヤ７と動作部８との摩擦力により移動し、ループ状のワイヤ７も反時計方向に移動し、ワイヤ７の途中に固定されている拭き取り部５は図４（Ｂ）に示すように、表示画面部４の最下端から距離Ｅ１移動して、表示画面部４の中央付近に位置する。
【００２７】
続いて、開閉中間状態（状態２）から開状態（状態３）に推移すると、図４（Ｃ）に示すように、動作部８が図４中、更に反時計方向に回転しながら回転支柱部３ａ上を更に距離Ｄ２転動する。この動作部８の回転に伴い、ワイヤ７がワイヤ７と動作部８との摩擦力により移動し、ループ状のワイヤ７も反時計方向に移動し、ワイヤ７の途中に固定されている拭き取り部５は図４（Ｃ）に示すように、更に距離Ｅ２移動して表示画面部４の最上端位置に到る。
【００２８】
ここで、上記の動作部８の総移動距離（Ｄ１＋Ｄ２）と、拭き取り部５の総移動距離（Ｅ１＋Ｅ２）とは一致する。従って、回転支柱部３ａの半径Ｒの大きさにより、拭き取り部５で拭き取ることができる画面サイズが決定する。動作部８が１８０°の回転が可能な状態で表示画面部４の大きさＬが３ｃｍ、回転支柱部３ａの半径が９.５ｍｍであった場合、状態１から状態３までの総移動距離は約３ｃｍとなり、表示画面部４の全画面を拭き取ることができる。
【００２９】
このように、本実施の形態では、折り畳み型の携帯電話の開閉動作に連動して、表示画面部４を拭き取り部５で拭き取るという動作を、電力消費無く、しかも既存の上部筐体部１を利用することにより、拭き取り部５、ワイヤ７及び動作部８という最小限の部品の追加で構成することができる。
【００３０】
なお、本発明は上記の実施の形態に限定されるものではなく、例えば、表示画面部が上部筐体部の外側表面に形成されているものについても、同様に本発明を適用することができ、これにより、外側表面の表示画面部も綺麗に拭き取ることができる。また、拭き取り部５の拭き取り動作移動方向は、実施の形態のような上下方向に限定されるものではなく、左右方向に移動することも可能である。更に、本発明は折り畳み型携帯電話に限定されるものではなく、ノート型パソコンその他の折り畳み可能なすべての携帯型情報機器に適用可能である。
【００３１】
【発明の効果】
以上説明したように、本発明によれば、上部筐体部と下部筐体部とが閉状態及び開状態の一方から他方に変化するときに、ヒンジ機構が回動することを利用して、移動機構により拭き取り部が表示画面部上を摺動するようにしたため、電力を消費することなく、表示画面部を開状態時に綺麗にすることができ、特にバッテリ駆動の携帯型情報機器に適用して好適である。
【００３２】
また、本発明によれば、既存の上部筐体部及びヒンジ機構を利用することにより、拭き取り部、ワイヤ及び動作部という最小限の部品の追加で構成することができ、専用の拭き取り装置を追加する構成に比べて安価に構成することができる。
【図面の簡単な説明】
【図１】本発明装置を備えた折り畳み型携帯電話の一実施の形態の閉状態及び開状態の概略縦断側面図である。
【図２】折り畳み型携帯電話の開状態時の上部筐体部の概略縦断側面図及び概略正面図である。
【図３】本発明装置の一実施の形態の閉状態時（状態１）、開閉中間状態時（状態２）、開状態時（状態３）の動作説明用側面図である。
【図４】本発明装置の一実施の形態の閉状態時（状態１）、開閉中間状態時（状態２）、開状態時（状態３）の各部動作詳細説明用側面図である。
【符号の説明】
１  上部筐体部
２  下部筐体部
３  ヒンジ機構
３ａ  回転支柱部
４  表示画面部
５  拭き取り部
６  レシーバー部
７  ワイヤ
８  動作部
【図１】
2004198874.tif 000003
【図２】
2004198874.tif 000004
【図３】
2004198874.tif 000005
【図４】
2004198874.tif 000006